(57)【要約】【課題】電気回路基板におけるインレットの向きが異なると、インレットと導通する付近の電気回路パターンも異なる。従って、電気的な動作における回路の機能は同じであるにもかかわらず、共通の電気回路基板を使用することができない。【解決手段】ＡＣインレット１３を電気回路基板１２に固定する複数の固定部を備え、電気回路基板１２には、ＡＣインレット１３が複数の固定部によって固定される複数の個所が設けられた電気回路基板１２を提供する。【選択図】図３
2009224646.tif 000002
【特許請求の範囲】
【請求項１】
電気回路パターンが形成された電気回路基板であって、
インレットを前記電気回路基板に固定する複数の固定部を備え、
前記電気回路基板には、前記インレットが前記複数の固定部によって固定される複数の
個所が設けられたことを特徴とする電気回路基板。
【請求項２】
請求項１に記載の電気回路基板であって、
前記インレットは交流電源が供給されるＡＣインレットであることを特徴とする電気回
路基板。
【請求項３】
請求項１または請求項２に記載の電気回路基板が備えられたことを特徴とする電源ユニ
ット。
【請求項４】
請求項３に記載の電源ユニットが備えられたことを特徴とする電子機器装置。
【発明の詳細な説明】
【技術分野】
【０００１】
本発明は、電気回路基板、電源ユニットおよび電子機器装置に関する。
【背景技術】
【０００２】
電子機器装置は、商用交流電源から供給を受けた電源電圧を、電子機器装置が動作する
電圧に変換させる電源回路が設けられた電気回路基板を備えている。電気回路基板には、
コンセントとケーブルを介して、商用交流電源に接続されたプラグが挿入されるインレッ
トが備えられている。例えば、特許文献１では、電気回路基板の長手方向と垂直方向にプ
ラグが挿入される向きにインレットが備えられている。
電気回路基板におけるインレットの向きは、電子機器装置の外観デザインや、電子機器
装置内の機器の配置に基づいて決定される場合がある。例えば、電気回路基板の長手方向
と平行の向きにインレットが備えられたり、電気回路基板の長手方向と垂直方向の向きに
インレットが備えられたりする場合がある。電気回路基板におけるインレットの向きが異
なっても、電気回路としての機能は同じである。
【０００３】
【特許文献１】特開平１−３１１５７７号公報
【発明の開示】
【発明が解決しようとする課題】
【０００４】
しかしながら、電気回路基板におけるインレットの向きが異なると、インレットと導通
する付近の電気回路パターンも異なる。従って、電気的な動作における回路の機能は同じ
であるにもかかわらず、共通の電気回路基板を使用することができない。そのため、電気
回路基板、その電気回路基板を備えた電源ユニット、その電源ユニットを備えた電子機器
装置のそれぞれの製造コストの上昇を抑制することができないという課題がある。
【課題を解決するための手段】
【０００５】
本発明は、上記課題の一部を解決するためになされたものであり、以下の形態または適
用例として実現することが可能である。
【０００６】
［適用例１］電気回路パターンが形成された電気回路基板であって、インレットを前記
電気回路基板に固定する複数の固定部を備え、前記電気回路基板には、前記インレットが
前記複数の固定部によって固定される複数の個所が設けられたことを特徴とする電気回路
基板。
【０００７】
この構成によれば、インレットが複数の固定部によって固定される複数の個所が設けら
れたことから、電気回路基板に対するプラグが挿入されるインレットの向きを変えること
ができる。これにより、電気回路基板に対するプラグが挿入される向きが異なる電子機器
装置であっても、共通の電気回路基板を使用することができる。従って、電気回路基板の
製造コストの上昇を抑制することができる。
【０００８】
［適用例２］前記インレットは交流電源が供給されるＡＣインレットであることを特徴
とする上記電気回路基板。
【０００９】
この構成によれば、電気回路パターンの極性についての制約がないので、電気回路基板
の製造コストの上昇を抑制することができる。
【００１０】
［適用例３］上記電気回路基板が備えられたことを特徴とする電源ユニット。
この構成によれば、電源ユニットの製造コストの上昇を抑制することができる。
【００１１】
［適用例４］上記電源ユニットが備えられたことを特徴とする電子機器装置。
この構成によれば、電子機器装置の製造コストの上昇を抑制することができる。
【発明を実施するための最良の形態】
【００１２】
（第１実施例）
図１は、電子機器装置の一例である画像形成装置としてのプリンタ１の外観斜視図であ
る。キャリッジモータ８はタイミングベルト４を駆動する。キャリッジ１１は、タイミン
グベルト４に固定され、筐体２に固定されたガイド軸３に沿って図面左右方向に往復移動
する。キャリッジ１１には、インクカートリッジ（モノクロ）６、インクカートリッジ（
カラー）７が搭載されている。媒体としての紙Ｓは、紙送りモータ９と図示しない紙送り
機構によって、プラテン１０上をＤ１の方向に搬送される。
【００１３】
図１のキャリッジ１１の下部には、ヘッド（不図示）が備えられている。ヘッドには、
各ノズルに対応して圧電素子（不図示）が備えられている。プリンタ１は、フレキシブル
ケーブル５を介して回路基板（不図示）からの制御信号により、圧電素子を駆動してモノ
クロインク、カラーインク（イエロー、マゼンタ、シアン）をヘッドから噴射させること
ができる。プリンタ１は、紙Ｓの搬送とキャリッジ１１の往復移動とを繰り返し、ヘッド
からインクを噴射させて紙Ｓに画像を形成することができる。
【００１４】
プラテン１０の下部、図面左側には、長手方向を搬送方向Ｄ１にして電気回路基板１２
が備えられている。電気回路基板１２には、筐体２を貫通するＡＣインレット１３が備え
られる。ＡＣインレット１３には、ケーブル（不図示）を介して商用交流電源が供給され
るプラグ（不図示）が、プリンタ１の図面左側側面より右側の方向に挿入される。
【００１５】
電気回路基板１２のプラテン１０側の面には、交流を直流に整流する回路を構成するダ
イオード、直流電圧を所定の直流電圧に変換する変圧回路を構成するトランス、コンデン
サー、パワーＭＯＳＦＥＴなどのスイッチング素子などが備えられる。電気回路基板１２
に備えられたこれらのコンデンサー、トランス、スイッチング素子などは、電源ユニット
を構成する。
【００１６】
図２は、電気回路基板１２に備えられたＡＣインレット１３の外観斜視図である。ＡＣ
インレット１３の開口部１４にプラグが挿入される方向Ｄ３は、電気回路基板１２の長手
方向Ｄ２とは垂直方向である。すなわち、ＡＣインレット１３の開口部１４が開口してい
る向きは、電気回路基板１２の長手方向Ｄ２とは垂直方向である。
【００１７】
図３は、ＡＣインレット１３を底側から見た外観斜視図である。ＡＣインレット１３に
形成された開口部１４には、端子５４，５５が設けられる。プラグが開口部１４に挿入さ
れ、端子５４，５５に電源が供給される。ＡＣインレット１３の底部には、円柱状の突起
部５０，５３が設けられている。さらに、ＡＣインレット１３の底部には、端子５４，５
５とそれぞれ導通する導電線５２，５１が設けられている。
【００１８】
図４は、ＡＣインレット１３が備えられる付近の電気回路パターンを示す図であり、図
２の電気回路基板１２を図面下側から見た図である。電気回路基板１２には、回路パター
ン２０，２１，２３が形成されている。回路パターン２０と回路パターン２３とは太い破
線で示すジャンパー線２２によって導通される。回路パターン２１は、回路パターン２０
，２３と導通しない。
【００１９】
回路パターン２０，２１は、長手方向Ｄ２と、長手方向Ｄ２と垂直方向とにおいて、電
気回路基板１２の外側に向かって長く伸びたＬ字状の回路パターンを有する。
【００２０】
電気回路基板１２には、電気回路基板１２を貫通する孔３０，３１および３２，３３が
設けられている。また、電気回路基板１２には、電気回路基板１２と回路パターン２０を
貫通する孔４１，４２が設けられている。同様に、電気回路基板１２には、電気回路基板
１２と回路パターン２１を貫通する孔４０，４３が設けられている。
【００２１】
図４に示すように、ＡＣインレット１３の突起部５０，５３が孔３３，３２にそれぞれ
挿入され、電気回路基板１２に固定されている。また、ＡＣインレット１３の導電線５１
，５２が孔４３，４２にそれぞれ挿入され、ハンダ付けされる。これにより、ＡＣインレ
ット１３の端子５４，５５は（図３参照）、導電線５２，５１をそれぞれ介して、回路パ
ターン２０，２１とがそれぞれ導通する。
【００２２】
図５は、長手方向が搬送方向Ｄ１と垂直方向にして電気回路基板１２を備えた、第１実
施例に係るプリンタ１ａの外観斜視図である。筐体２を貫通するＡＣインレット１３は、
プラグがプリンタ１ａの図面左側側面から右側に挿入されるようにして電気回路基板１２
に備えられる。
【００２３】
図６は、電気回路基板１２に備えられたＡＣインレット１３の外観斜視図である。ＡＣ
インレット１３の開口部１４にプラグが挿入される方向Ｄ４は、電気回路基板１２の長手
方向Ｄ２とは平行である。すなわち、ＡＣインレット１３の開口部１４が開口している向
きは、電気回路基板１２の長手方向Ｄ２とは平行である。
【００２４】
図７は、電気回路基板１２を電気回路パターンが形成されている側から見た図である。
図７は、図６の電気回路基板１２を図面下側から見た図である。ＡＣインレット１３の突
起部５０，５３は、電気回路基板１２に形成された孔３１，３０にそれぞれ挿入され、Ａ
Ｃインレット１３が電気回路基板１２に固定される。ＡＣインレット１３の導電線５１，
５２は、電気回路基板１２と回路パターン２０，２１に形成された孔４１，４０に挿入さ
れ、ハンダ付けされる。これにより、ＡＣインレット１３の端子５４，５５は（図６参照
）、導電線５２，５１をそれぞれ介して、回路パターン２１，２０とそれぞれ導通する。
【００２５】
図４、図７の孔３０，３１は、ＡＣインレット１３を電気回路基板１２に固定する一つ
の固定部として機能する。また、孔３２，３３も、ＡＣインレット１３を電気回路基板１
２に固定する一つの固定部として機能する。本実施例では、ＡＣインレット１３が、孔３
０，３１および孔３２，３３からなる二つの固定部によって電気回路基板１２に固定され
る二つの個所が設けられている。
【００２６】
図４では、端子５５が回路パターン２１と導通し、端子５４が回路パターン２０と導通
する。反対に、図７では、端子５５が回路パターン２０と導通し、端子５４が回路パター
ン２１と導通する。ＡＣインレット１３の端子５４，５５には交流電源が供給されるので
、このように、ＡＣインレット１３が固定される位置が変更されたとき、導通する端子と
回路パターンとの組み合わせが変更されても電源回路として機能する。
【００２７】
以上、本実施例で説明したように、電気回路パターンが形成された電気回路基板１２で
あって、ＡＣインレット１３を電気回路基板１２に固定する一つの固定部としての孔３０
，３１および一つの固定部としての孔３２，３３を備え、電気回路基板１２には、ＡＣイ
ンレット１３が二つの固定部によって固定される二つの個所が設けられている。
【００２８】
この構成によれば、ＡＣインレット１３が二つの固定部によって固定される二つの個所
が設けられたことから、電気回路基板１２に対するプラグが挿入されるＡＣインレット１
３の向きを変えることができる。これにより、電子機器装置としてのプリンタ１，１ａに
おいて、電気回路基板１２に対するプラグが挿入される向きが異なる場合であっても、共
通の電気回路基板１２を使用することができる。従って、電気回路基板の製造コストの上
昇を抑制することができる。
【００２９】
本実施例では、ＡＣインレット１３の突起部５０，５３と、電気回路基板１２に孔３０
，３１および孔３２，３３を設けたが、突起部５０，５３、孔３０，３１および孔３２，
３３を設けずに、回路パターン２０，２１と導通させるための孔４０，４１および孔４２
，４３に導電線５１，５２を挿入させて、ＡＣインレット１３を電気回路基板１２に固定
してもよい。このようにすれば、電気回路基板１２の製造コストの上昇を抑制できる。
【００３０】
（第２実施例）
第１実施例では、Ｌ字状に形成した電気回路パターンによって、ＡＣインレット１３が
固定される二つの箇所に電源を供給するようにしていたが、第２実施例では、電気回路基
板に備えた導電線によって、ＡＣインレットが固定される二つの箇所に電源を供給するよ
うにした電気回路基板について説明する。
【００３１】
図８（ａ）は、プラグに挿入される方向Ｄ３が電気回路基板１２ａの長手方向Ｄ２と垂
直方向になるようにしてＡＣインレット１３ａを備えた外観斜視図である。図８（ｂ）は
、プラグに挿入される方向Ｄ４が電気回路基板１２ａの長手方向Ｄ２と平行になるように
してＡＣインレット１３ａ備えた外観斜視図である。
【００３２】
図８（ａ）のＡＣインレット１３ａは、第１実施例で説明したように、図８（ｂ）に示
す孔３０ａ，３１ａにＡＣインレット１３ａの突起部（不図示）が挿入されることによっ
て、電気回路基板１２ａに固定される。図８（ａ）の導電線６０，６１によって、ＡＣイ
ンレット１３ａの端子５４ａ，５５ａと電気回路基板１２ａの反対側の面に形成された回
路パターン（不図示）とは導通する。
【００３３】
同様に、図８（ｂ）のＡＣインレット１３ａは、図８（ａ）に示す孔３２ａ，３３ａに
ＡＣインレット１３ａの突起部（不図示）が挿入されることによって、電気回路基板１２
ａに固定される。図８（ｂ）の導電線６０，６１によって、ＡＣインレット１３ａの端子
５４ａ，５５ａ（図８（ａ）参照）と電気回路基板１２ａの反対側の面に形成された回路
パターンとは導通する。
【００３４】
図８（ａ）のＡＣインレット１３ａは、プラグに挿入される方向Ｄ３が電気回路基板１
２ａの長手方向Ｄ２と垂直方向になるようにして備えられる。図８（ｂ）のＡＣインレッ
ト１３ａは、プラグに挿入される方向Ｄ４が電気回路基板１２ａの長手方向Ｄ２と平行に
なるようにして備えられる。
【００３５】
このようにすれば、電気回路基板１２ａに対するプラグの挿入方向が異なっても、プリ
ンタに使用される電気回路基板、およびその電気回路基板を備えた電源ユニットを共用す
ることができる。これにより、電気回路基板、およびその電気回路基板を備えた電源ユニ
ット、プリンタの製造コストの上昇を抑制できる。
【００３６】
また、電気回路基板１２ａにはダイオード、トランス、コンダンサーなどが配置されて
いるので、回路パターンの配置をするうえでの制約がある。そのため、ＡＣインレット１
３ａを固定する個所についても、配置上の制約がある。そこで、本実施例の導電線６０，
６１を用いることによって、ＡＣインレット１３ａを固定する個所についての配置上の制
約が少なくなる。
【００３７】
第１実施例と第２実施例では、ＡＣインレット１３，１３ａを固定する二つの個所のう
ち、一つの個所にＡＣインレット１３，１３ａを備えていたが、それぞれの個所にＡＣイ
ンレットを備えるようにしてもよい。
【図面の簡単な説明】
【００３８】
【図１】第１実施例に係るプリンタの外観斜視図。
【図２】電気回路基板に備えられたＡＣインレットの外観斜視図。
【図３】ＡＣインレットを底側から見た外観斜視図。
【図４】ＡＣインレットが備えられる付近の電気回路パターンを示す図。
【図５】長手方向が搬送方向と垂直方向にして電気回路基板を備えたプリンタの外観斜視図。
【図６】電気回路基板に備えられたＡＣインレットの外観斜視図。
【図７】電気回路基板を電気回路パターンが形成されている側から見た図。
【図８】第２実施例に係る（ａ）は、プラグの挿入方向が電気回路基板の長手方向と垂直方向になるようにしてＡＣインレットを備えた外観斜視図、（ｂ）は、プラグの挿入方向が電気回路基板の長手方向と平行になるようにしてＡＣインレットを備えた外観斜視図。
【符号の説明】
【００３９】
１，１ａ…プリンタ、１２，１２ａ…電気回路基板、１３，１３ａ…ＡＣインレット、
３０，３１，３２，３３…孔。
【図１】
2009224646.tif 000003
【図２】
2009224646.tif 000004
【図３】
2009224646.tif 000005
【図４】
2009224646.tif 000006
【図５】
2009224646.tif 000007
【図６】
2009224646.tif 000008
【図７】
2009224646.tif 000009
【図８】
2009224646.tif 000010